(57)【要約】【課題】複数の運動具を使用するユーザーにとって有意な情報を、より使い勝手よく取得することのできる情報記録装置、情報記録システム、情報記録方法、及び情報記録プログラムを提供することを目的とする。【解決手段】本発明に係る情報記録装置は、ユーザーによる打球の有無を示す打球情報を取得する第１取得部と、前記ユーザーが保持する運動具の識別情報を取得する第２取得部と、前記打球情報と前記識別情報とを関連付けて記録する処理部とを含む。【選択図】図３
2016127880.tif 000002
【特許請求の範囲】
【請求項１】
ユーザーによる打球の有無を示す打球情報を取得する第１取得部と、
前記ユーザーが保持する運動具の識別情報を取得する第２取得部と、
前記打球情報と前記識別情報とを関連付けて記録する処理部とを含む、
情報記録装置。
【請求項２】
前記ユーザーの位置を示す位置情報を取得する第３取得部を更に含み、
前記処理部は、
前記打球情報と前記識別情報と前記位置情報とを関連付けて記録する
請求項１に記載の情報記録装置。
【請求項３】
前記運動具は、ゴルフクラブであり、
前記識別情報は、ゴルフクラブの番手を示す情報である、
請求項１又は２に記載の情報記録装置。
【請求項４】
前記ユーザーによる打球の有無を検出するセンサー部と、
前記ユーザーの保持する運動具から識別情報を読み取る読み取り部と、を更に含む、
請求項１〜３の何れか一項に記載の情報記録装置。
【請求項５】
請求項１〜３の何れか一項に記載の情報記録装置と、
複数の前記運動具に個別に装着され、前記運動具による打球の有無を検出する複数のセンサー装置と、を含み、
前記センサー装置と前記情報記録装置とは通信可能である、
情報記録システム。
【請求項６】
ユーザーによる打球の有無を示す打球情報を取得することと、
前記ユーザーが保持する運動具の識別情報を取得することと、
前記打球情報と前記識別情報とを関連付けて記録することとを、
含む情報記録方法。
【請求項７】
ユーザーによる打球の有無を示す打球情報を取得することと、
前記ユーザーが保持する運動具の識別情報を取得することと、
前記打球情報と前記識別情報とを関連付けて記録することとを、
コンピュータに実行させる情報記録プログラム。
【発明の詳細な説明】
【技術分野】
【０００１】
本発明は、情報記録装置、情報記録システム、情報記録方法、及び情報記録プログラムに関する。
【背景技術】
【０００２】
ゴルフクラブの番手情報は、ボールの飛距離を左右するファクターであるので、ゴルフの試合（又は練習）のデータとして重要である。そこで、ゴルフクラブに予めタグを設け、タグにリーダーを近接させることによりゴルフクラブの番手を認識するシステムが提案された（特許文献１等を参照）。
【先行技術文献】
【特許文献】
【０００３】
【特許文献１】特表２０１３−５３２５６８号公報
【発明の概要】
【発明が解決しようとする課題】
【０００４】
しかし、上記のシステムでは、ゴルフクラブの選定に迷った時など、ゴルフクラブを持ち替える度にユーザーが所定操作を行う必要があるため、例えば操作のし忘れ等により誤った番手情報がシステムに残される虞もあり、ユーザーにとって必ずしも使い勝手の良いものではなかった。
【０００５】
本発明は、以上のような問題点に鑑みてなされたものであり、本発明のいくつかの態様は、複数の運動具を使用するユーザーにとって有意な情報を、ユーザーにとってより使い勝手よく取得することのできる情報記録装置、情報記録システム、情報記録方法、及び情報記録プログラムを提供することを目的とする。
【課題を解決するための手段】
【０００６】
本発明は前述の課題の少なくとも一部を解決するためになされたものであり、以下の態様又は適用例として実現することが可能である。
【０００７】
［適用例１］
本適用例に係る情報記録装置は、ユーザーによる打球の有無を示す打球情報を取得する第１取得部と、前記ユーザーが保持する運動具の識別情報を取得する第２取得部と、前記打球情報と前記識別情報とを関連付けて記録する処理部とを含む。
【０００８】
このように、打球情報を識別情報に関連付ければ、ユーザーの保持した運動具が打球に使用されたか否かを示す情報が記録されることになる。従って、例えば、ユーザーが運動具の選定に悩み、運動具を何回か持ち替えた場合であっても、実際に打球に使用された運動具を、ユーザーが後に確認することができる。
【０００９】
［適用例２］
本適用例に係る情報記録装置は、前記ユーザーの位置を示す位置情報を取得する第３取得部を更に含み、前記処理部は、前記打球情報と前記識別情報と前記位置情報とを関連付けて記録する。
【００１０】
このように、打球情報と識別情報と位置情報とを関連付けて記録すれば、ユーザーが移動しながら複数の運動具を使用する場面、例えば、ゴルフプレーの場面において有意な情報を得ることができる。
【００１１】
［適用例３］
本適用例に係る情報記録装置において、前記運動具は、ゴルフクラブであり、前記識別情報は、ゴルフクラブの番手を示す情報である。
【００１２】
このように、識別情報としてゴルフクラブの番手を示す情報を記録すれば、打球と番手との関係が記録されることになる。従って、如何なる打球に如何なる番手を使用したのかを、ユーザーが後に確認することができる。この確認により、ユーザーが今後のスコアアップを図ることも可能である。
【００１３】
［適用例４］
本適用例に係る情報記録装置は、前記ユーザーによる打球の有無を検出するセンサー部と、前記ユーザーの保持する運動具から識別情報を読み取る読み取り部とを更に含む。
【００１４】
従って、ユーザーは、例えば、複数の運動具の各々に識別用のタグ（ＩＤタグ）を付与すると共に、情報記録装置を自分の身体の適当な部位（例えば腰、頭、腕など）へ装着しておくだけで、必要な情報を情報記録装置に記録させることができる。
【００１５】
［適用例５］
本適用例に係る情報記録システムは、本適用例の情報記録装置と、複数の前記運動具に個別に装着され、前記運動具による打球の有無を検出する複数のセンサー装置とを含み、前記センサー装置と前記情報記録装置とは通信可能である。
【００１６】
従って、ユーザーは、複数の運動具に対して複数のセンサー装置を個別に装着しておくだけで、必要な情報を情報記録装置に記録させることができる。
【００１７】
［適用例６］
本適用例に係る情報記録方法は、ユーザーによる打球の有無を示す打球情報を取得することと、前記ユーザーが保持する運動具の識別情報を取得することと、前記打球情報と前記識別情報とを関連付けて記録することとを含む。
【００１８】
このように、打球情報を識別情報に関連付ければ、ユーザーの保持した運動具が打球に使用されたか否かを示す情報が記録されることになる。従って、例えば、ユーザーが運動具の選定に悩み、運動具を何回か持ち替えた場合であっても、実際に打球に使用された運動具を、ユーザーが後に確認することができる。
【００１９】
［適用例７］
本適用例に係る情報記録プログラムは、ユーザーによる打球の有無を示す打球情報を取得することと、前記ユーザーが保持する運動具の識別情報を取得することと、前記打球情報と前記識別情報とを関連付けて記録することとをコンピュータに実行させる。
【００２０】
このように、打球情報を識別情報に関連付ければ、ユーザーの保持した運動具が打球に使用されたか否かを示す情報が記録されることになる。従って、例えば、ユーザーが運動具の選定に悩み、運動具を何回か持ち替えた場合であっても、実際に打球に使用された運動具を、ユーザーが後に確認することができる。
【図面の簡単な説明】
【００２１】
【図１】第１実施形態の情報記録システムの概要を説明するための図である。
【図２】第１実施形態の情報記録システム１の構成を説明するための図である。
【図３】第１実施形態におけるセンサーユニット及び情報記録装置のフローチャートである。
【図４】第２実施形態の情報記録システム１００の構成を説明するための図である。
【図５】第２実施形態における情報記録装置のフローチャートである。
【図６】変形例を説明する図である。
【発明を実施するための形態】
【００２２】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００２３】
１．情報記録システム
１−１．第１実施形態
［システム概要］
図１は、本実施形態の情報記録システムの概要を説明するための図である。ここでは、情報記録システムの用途がゴルフである場合を説明する。図１に示すように、情報記録システム１には、例えば、複数のセンサーユニット１０と、情報記録装置２０と、情報表示装置３０とが備えられる。
【００２４】
複数のセンサーユニット１０の各々は、ユーザーが使用する予定の複数のゴルフクラブ３０１、３０２、…へ個別に装着される。複数のゴルフクラブ３０１、３０２、…の間では番手が互いに異なる。複数のセンサーユニット１０の各々は、３軸の各軸方向に生じる加速度と３軸の各軸回りに生じる角速度を計測可能であり、３つの検出軸（ｘ軸，ｙ軸，ｚ軸）のうちの１軸、例えばｙ軸をシャフトの長軸方向に合わせた姿勢でゴルフクラブに取り付けられる。よって、個々のセンサーユニット１０は、装着先となったゴルフクラブの位置変化及び姿勢変化を示す計測データを生成する。この計測データには、ゴルフクラブによる打球（ショット）の有無を示す情報が含まれる。
【００２５】
つまり、本実施形態の情報記録システム１は、複数のゴルフクラブ（運動具の一例）３０１、３０２、…に個別に装着され、かつ、ゴルフクラブ３０１、３０２、…によるショット（打球）の有無を検出する複数のセンサーユニット（センサー装置の一例）を備える。
【００２６】
情報記録装置２０は、例えばリスト型（腕時計型）の携帯情報機器であり、ユーザーの腕（手首、腕、グローブなども含む）に装着される。情報記録装置２０は、ユーザーのゴルフプレー中に複数のセンサーユニット１０の各々と無線通信を行い、複数のセンサーユニット１０から計測データを収集し、収集した計測データに基づき試合データ（プレーデータ）を作成する。プレーデータには、例えば、各ショットの位置情報、各ショットに使用された番手情報、各ショットに関するスイングフォームデータ、ショットカウント数などが含まれる。
【００２７】
つまり、情報記録システム１では、個々のセンサーユニット１０（センサー装置の一例）と情報記録装置２０とが通信可能である。
【００２８】
また、情報記録装置２０は、ユーザーの指定したタイミング又は予め決められたタイミングで情報表示装置３０と無線通信又は有線通信を行い、プレーデータを情報表示装置３０へ送信する。
【００２９】
情報表示装置３０は、例えば、スマートフォン、タブレットＰＣ、デスクトップＰＣなどの表示端末であって、インターネットなどで公開又はインターネットから配信されたゴルフコースのコースレイアウトや気象データなどのコース情報を、プレーの合間やプレーの終了後などの適当なタイミングでユーザーに表示する。その際に、情報表示装置３０は、コースレイアウト上にプレーデータを表示することで、プレーの詳細とコースとの対応関係をユーザーへ提示する。
【００３０】
ここで、本実施形態のユーザーは、プレーの開始に当たり、情報記録装置２０に対して記録開始の指示を入力する。また、ユーザーは、プレーの終了後、情報記録装置２０に対して記録終了の指示を入力する。また、ユーザーは、プレーに先立ち、プレーで使用する予定の複数のゴルフクラブ３０１、３０２、…を情報記録装置２０へ登録する。この登録の際、ユーザーが情報記録装置２０へ入力する情報（図２に示す登録情報２４４）には、例えば、複数のゴルフクラブ３０１、３０２、…の各々のクラブ仕様情報（番手情報含む）、ゴルフクラブ３０１、３０２、…の各々に装着されたセンサーユニット１０の識別情報、ゴルフクラブ３０１、３０２、…の各々におけるセンサーユニット１０のセンサー装着位置情報などが含まれる。つまり、登録情報には、識別情報と番手との対応関係を示す情報が含まれる。
【００３１】
ここで、複数のセンサーユニット１０の各々は、情報記録装置２０へ計測データを送信する際に、計測データに対してセンサーユニット１０の識別情報を付加する。
【００３２】
従って、情報記録装置２０は、複数のセンサーユニット１０の何れか１つから計測データを受信した際に、当該計測データに付加された識別情報から、計測データの生成元であるセンサーユニットを識別することができる。また、情報記録装置２０は、識別情報に応じて登録情報を参照することにより、計測データに対応するゴルフクラブの番手を識別することができる。
【００３３】
つまり、本実施形態の情報記録装置２０は、複数のセンサーユニット１０の識別情報を、センサーユニット１０の装着先となったゴルフクラブの番手を示す情報として用いる。
【００３４】
［システム構成］
図２は、本実施形態の情報記録システム１の構成を説明するための図である。図２には、１つのセンサーユニット１０と情報記録装置２０とを示し、他のセンサーユニット１０及び情報表示装置３０の図示を省略した。他のセンサーユニット１０の構成は、以下で説明するセンサーユニット１０の構成と同様であり、複数のセンサーユニット１０の間で相違するのは識別情報のみである。
【００３５】
図２に示すとおり、センサーユニット１０には、処理部１１、加速度センサー１２、角速度センサー１３、記憶部１４、通信部１８などが備えられ、記憶部１４には、ショット判定プログラム１４０などが格納される。
【００３６】
処理部１１は、例えば、ＣＰＵ（Central Processing Unit）、ＤＳＰ（Digital Signal Processor）、ＡＳＩＣ（Application Specific Integrated Circuit）等により構成される。処理部１１は、記憶部１４に格納されたショット判定プログラム１４０などの各種プログラムと、情報記録装置２０から送信される各種のコマンドとに従って動作する。
【００３７】
加速度センサー１２は、互いに交差する（理想的には直交する）３軸方向の各々の加速度を検出し、検出した３軸加速度の大きさ及び向きに応じたデジタル信号（加速度データ）を出力する。
【００３８】
角速度センサー１３は、互いに交差する（理想的には直交する）３軸方向の各々の角速度を検出し、計測した３軸角速度の大きさ及び向きに応じたデジタル信号（角速度データ）を出力する。
【００３９】
記憶部１４は、例えば、ＲＯＭ（Read Only Memory）やフラッシュＲＯＭ、ＲＡＭ（Random Access Memory）等の各種ＩＣメモリーやハードディスクやメモリーカードなどの記録媒体等により構成される。ＲＯＭには、例えば、ショット判定プログラム１４０などのプログラムが記憶され、ＲＡＭには、例えば、処理部１１の作業領域として使用可能な記憶領域（計測データ１４１の記憶領域など）が割り当てられる。
【００４０】
通信部１８は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、Ａｎｔ＋等の近距離無線通信規格に対応した送受信機等を含んで構成される。通信部１８は、外部から到来する所定周波数帯域の電磁波を不図示の無線アンテナで受信し、情報記録装置２０からの所定の信号を抽出すると共に、当該信号に含まれる情報を復元して処理部１１へ出力する。また、通信部１８は、処理部１１から与えられた情報を、当該所定の近距離無線用の信号に重畳させて情報記録装置２０へ送信する。
【００４１】
情報記録装置２０には、処理部２１、通信部２２、操作部２３、記憶部２４、表示部２５、音出力部２６、ＧＰＳセンサー２７などが備えられ、記憶部２４には、情報記録プログラム２４０、スイング解析プログラム２４２、プレーデータ２４３、登録情報２４４などが格納される。
【００４２】
処理部２１は、例えば、ＣＰＵ（Central Processing Unit）、ＤＳＰ（Digital Signal Processor）、ＡＳＩＣ（Application Specific Integrated Circuit）等により構成される。処理部２１は、記憶部２４に格納された情報記録プログラム２４０、スイング解析プログラム２４２などの各種プログラムと、ユーザーから入力される各種のコマンドとに従って動作する。
【００４３】
通信部２２は、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、Ａｎｔ＋等の近距離無線通信規格に対応した送受信機等を含んで構成される。通信部２２は、外部から到来する所定周波数帯域の電磁波を不図示の無線アンテナで受信し、センサーユニット１０からの所定の信号を抽出すると共に、当該信号に含まれる情報を復元して処理部２１へ出力する。また、通信部２２は、処理部２１から与えられた情報を、当該所定の近距離無線用の信号に重畳させてセンサーユニット１０へ送信する。
【００４４】
操作部２３は、ユーザーから入力されたコマンドの内容を適当な信号に変換して処理部２１へ与えるものである。操作部２３は、例えば、ボタン、キー、マイクなどで実現される。
【００４５】
記憶部２４は、例えば、ＲＯＭ（Read Only Memory）やフラッシュＲＯＭ、ＲＡＭ（Random Access Memory）等の各種ＩＣメモリーやハードディスクやメモリーカードなどの記録媒体等により構成される。ＲＯＭには、例えば、情報記録プログラム２４０、スイング解析プログラム２４２などのプログラムが記憶され、ＲＡＭには、例えば、処理部２１の作業領域として使用可能な記憶領域（プレーデータ２４３の記憶領域、登録情報２４４の記憶領域など）が割り当てられる。
【００４６】
表示部２５は、処理部２１から送られてきた画像データやテキストデータを、文字、グラフ、表、アニメーション、その他の画像として表示するものである。表示部２５は、例えば、ＬＣＤ（Liquid Crystal Display）、有機ＥＬ（Electroluminescence）ディスプレイ、ＥＰＤ（Electrophoretic Display）等のディスプレイで実現され、タッチパネル型ディスプレイであってもよい。
【００４７】
音出力部２６は、処理部２１から送られてきた音データを、音声やブザー音等の音として出力するものである。音出力部２６は、例えば、スピーカーやブザーなどで実現される。
【００４８】
ＧＰＳセンサー２７は、情報記録装置２０の位置を示す測位データを生成して処理部２１へ出力するセンサーであって、ＧＰＳ受信機（GPS: Global Positioning System）等を含んで構成される。ＧＰＳセンサー２７は、外部から到来する所定周波数帯域の電磁波を不図示のＧＰＳアンテナで受信し、ＧＰＳ衛星からのＧＰＳ信号を抽出すると共に、当該ＧＰＳ信号に基づき位置を示す測位データを生成する。
【００４９】
［システム動作］
図３（Ａ）は、センサーユニット１０の処理部１１の動作を説明するフローチャートであり、図３（Ｂ）は、情報記録装置２０の処理部２１の動作を説明するフローチャートである。なお、本実施形態において、複数のセンサーユニット１０の各々の処理部１１の動作は共通しており、複数のセンサーユニット１０の間で相違するのは識別情報のみである。また、情報記録装置２０の処理部２１は、情報記録プログラム２４０に従って動作する。
【００５０】
また、ここでは、プレー開始に当たり、情報記録装置２０に対する複数のゴルフクラブ３０１、３０２、…の登録が完了し、かつ、複数のセンサーユニット１０の全ての電源がオンされたとの前提で、各ステップを順に説明する。
【００５１】
ステップＳ１１０：センサーユニット１０の処理部１１は、記憶部１４に対する計測データ（加速度データ、角速度データ）の蓄積を開始する。なお、記憶部１４は、計測データの記憶領域として、少なくともスイング１回分の計測データを格納できるだけの領域を有しており、この記憶領域の空き容量がゼロになった場合には、古い計測データに対して新しい計測データを上書きすることで、少なくともスイング１回分の最新の計測データを常に保持できるものとする。
【００５２】
ステップＳ１２０：処理部１１は、ショット判定プログラム１４０に従い、例えば、現時点でサンプリングされた計測データに含まれる角速度データの大きさと、直前にサンプリングされた計測データに含まれる角速度データの大きさとの差分を算出し、差分が所定の閾値を超過したか否かを判定することにより、ショット（打球、インパクト）の有無を判定する。
【００５３】
ステップＳ１３０：処理部１１は、ショットが有ったと判定した場合（ステップＳ１３０のＹ）には、ステップＳ１４０へ移行し、ショットが無かったと判定した場合には（ステップＳ１３０のＮ）、ステップＳ１５０へ移行する。
【００５４】
ステップＳ１４０：処理部１１は、現時点で記憶部１４に格納されている計測データ１４１を読み出し、計測データ１４１に識別情報を付加してから、通信部１８を介して情報記録装置２０へ送信する。この計測データ１４１には、ショットに係るスイングの情報が反映されている。
【００５５】
ステップＳ１５０：処理部１１は、情報記録装置２０から終了コマンドを受信したか否かを判定し、受信したと判定した場合（ステップＳ１５０のＹ）には、フローを終了し、受信したと判定しなかった場合（ステップＳ１５０のＮ）には、ステップＳ１２０へ戻る。
【００５６】
ステップＳ２１０：情報記録装置２０の処理部２１は、ＧＰＳセンサー２７が出力する測位データのサンプリングを開始する。
【００５７】
ステップＳ２２０：処理部２１は、複数のセンサーユニット１０の何れか１つから通信部２２を介して計測データ（識別情報付き）を受信したか否かを判定し、受信したと判定した場合（ステップＳ２２０のＹ）には、ステップＳ２３０へ移行し、受信していないと判定した場合（ステップＳ２２０のＮ）には、ステップＳ２６０へ移行する。
【００５８】
ステップＳ２３０：処理部２１は、計測データに付加された識別情報に応じて登録情報２４４を参照することで、当該識別情報に予め対応づけられたゴルフクラブの番手を特定し、この番手をショットに使用された番手とみなす。また、処理部２１は、計測データを受信したタイミングでサンプリングされた測位データに基づきユーザーの位置を特定し、この位置をショットの位置（ショットの地点）とみなす。
【００５９】
つまり、本ステップＳ２１０、Ｓ２２０、Ｓ２３０における処理部２１（第１取得部、第２取得部、第３取得部の一例）は、ユーザーによるショット（打球）の有無を示す計測データ（打球情報の一例）、ユーザーが保持するゴルフクラブ（運動具の一例）の番手情報（識別情報の一例）、ユーザーの位置を示す測位データ（位置情報の一例）を取得し、これらの情報を互いに関連付ける。
【００６０】
ステップＳ２４０：処理部２１は、スイング解析プログラム２４２に従い、計測データに対して例えば公知のスイング解析処理を施すことにより、スイングフォームデータを取得する。スイングフォームデータには、例えば、ゴルフクラブのヘッドの姿勢変化データ、ヘッドの位置変化データ、ゴルフクラブのシャフト回転角変化データ、スイングスピードデータなどが含まれる。なお、計測データからヘッドの姿勢変化データ、ヘッドの位置変化データを正確に計算するためには、計測データの送信元であるセンサーユニットからゴルフクラブのヘッドまでの距離の値が使用されることが望ましい。この距離の値は、例えば、識別情報に対応するクラブ仕様情報及びセンサー装着位置情報に基づき求めることができる（これらの情報は予め登録情報２４４に記録されている）。
【００６１】
ステップＳ２５０：処理部２１は、プレーデータ２４３に対してショットの位置を示す情報、ショットに使用したゴルフクラブの番手を示す情報、ショットに関するスイングフォームデータ、現時点までのショットカウント数などを書き込む。
【００６２】
つまり、本ステップＳ２５０における処理部２１は、ショット（打球）の有無を示す計測データ（打球情報）、ゴルフクラブ（運動具の一例）の番手情報（識別情報の一例）、ユーザーの位置を示す測位データ（位置情報の一例）を、互いに関連付けて記録する。
【００６３】
ステップＳ２６０：処理部２１は、ユーザーから終了コマンドを受信したか否かを判定し、受信したと判定した場合（ステップＳ２６０のＹ）には、全てのセンサーユニット１０に向けて終了コマンドを送信してフローを終了し、受信したと判定しなかった場合（ステップＳ２６０のＮ）には、ステップＳ２２０へ戻る。
【００６４】
なお、本実施形態のシステムのユーザーは、プレーの合間、プレーの終了後などの適当なタイミングで、プレーデータ２４３を情報記録装置２０から情報表示装置３０（図１参照）へ読み込ませることにより、ショット地点と使用番手とをコースレイアウト上で同時に確認することができる。
【００６５】
なお、図３のフローチャートにおいては、可能な範囲で各ステップの順番を変更してもよい。
【００６６】
［第１実施形態の補足］
なお、本実施形態では、記憶部１４が蓄積する計測データ１４１のデータ量を、少なくともスイング１回分のデータ量であるとしたが、記憶部１４の容量が十分に大きい場合には、プレー中の全期間における計測データを記憶部１４に蓄積させてもよいし、コース中の全期間における計測データを記憶部１４に蓄積させてもよい。
【００６７】
また、本実施形態では、プレー中に全てのセンサーユニットの電源がオンされていることを想定したが、不使用中のゴルフクラブに装着されたセンサーユニットについては、スリープモード（例えば、処理部の動作クロックが低周波数に設定され、最小限の要素にのみ電力が供給されるモード）で動作するようにシステムを構成してもよい。
【００６８】
例えば、本実施形態において、プレーの当初は、全てのセンサーユニットがスリープモードで動作し、何れか１つのゴルフクラブをユーザーが保持して所定のジェスチャーをしたときに、そのゴルフクラブに装着されたセンサーユニットのスリープモードが解除され、センサーユニットと情報記録装置２０とのコネクションが確立されるようにしてもよい。
【００６９】
また、ユーザーが所定のジェスチャーをしたか否かを処理部１１が判定するためには、例えば、加速度センサー及び角速度センサーの少なくとも一方が生成する計測データを処理部１１が監視し、計測データが所定の変化パターンで変化したか否かを判定すればよい。
【００７０】
１−２．第２実施形態
［システム構成］
図４は、本実施形態の情報記録システムの構成を説明するための図である。ここでは、第１実施形態と同様の要素については同じ符号を付して示し、第１実施形態との相違点を主に説明する。
【００７１】
図４に示すとおり、本実施形態の情報記録システム１００は、複数のゴルフクラブ３０１、３０２、…３０Ｎへ個別に装着された複数のセンサーユニット１０を使用する代わりに、複数のゴルフクラブ３０１、３０２、…、３０Ｎへ個別に取り付けられた複数のＩＤタグ４０１、４０２、…、４０Ｎを使用する。これに対応するため、本実施形態の情報記録装置２００は、ＩＤタグ４０１、４０２、…、４０Ｎの各々から識別情報を読み取るためのタグリーダー４１を備える。
【００７２】
つまり、本実施形態における情報記録装置２００は、ユーザーの保持するゴルフクラブ（運動具の一例）から識別情報を読み取るタグリーダー４１（読み取り部の一例）を備える。
【００７３】
また、本実施形態の情報記録システム１００は、第１実施形態で説明した複数のセンサーユニット１０を使用しないため、複数のセンサーユニット１０の各々に搭載されていた機能（ショット判定の機能及び計測データの生成機能）が情報記録装置２００に搭載される。従って、本実施形態の情報記録装置２００は、第１実施形態の情報記録装置２０において、タグリーダー４１、加速度センサー１２、角速度センサー１３を更に備えたものに相当する。
【００７４】
つまり、本実施形態における情報記録装置２００は、ユーザーに装着され、かつ、ユーザーによるショットの有無を検出する加速度センサー１２（センサー部の一例）を、更に備える。
【００７５】
また、情報記録装置２００は、記憶部２４にショット判定プログラム１４０を格納し、計測データ１４１を格納する領域を、記憶部２４に確保している。
【００７６】
また、本実施形態の情報記録装置２００は、センサーユニット１０と通信するための通信部を有していることは非必須であるが、情報表示装置３０（図１参照）又は他の端末と通信するために通信部２２を備える。
【００７７】
ＩＤタグ４０１、４０２、…、４０Ｎの各々は、例えば、ラベル型ＲＦ（RF: Radio Frequency）タグなどの識別用タグであり、タグリーダー４１は、ＩＤタグ４０１、４０２、…４０Ｎに対応したタグリーダー、例えば、ＲＦＩＤリーダー（RFID: Radio Frequency IDentification）である。
【００７８】
タグリーダー４１は、ＩＤタグ４０１、４０２、…、４０Ｎの何れかが近接すると、近接したＩＤタグとの間で発生する電磁波（又は磁界）を不図示のアンテナで検知し、その電磁波（又は磁界）からＩＤタグの識別情報を読み取って処理部１１へ通知する。
【００７９】
ここで、タグリーダー４１がＩＤタグから識別情報を読み取ることのできる距離範囲（通信距離）は、適切な値に設定されており、ＩＤタグの取り付け先となったゴルフクラブをユーザーが保持しているときにはタグリーダー４１による識別情報の読み取りが可能となり、ユーザーが保持していないときにはタグリーダー４１による読み取りが不可能となる。
【００８０】
なお、本実施形態の情報記録装置２００にはショット判定の機能が搭載されるので、情報記録装置２００の装着先は、例えば、ユーザー身体のうちショットに応じて大きく運動する部位（手首、腕など）とされる。
【００８１】
また、タグリーダー４１の通信距離は、情報記録装置２００の装着先に適した値に設定されることが望ましい。すなわち、情報記録装置２００の装着先がユーザーの身体のいずれの部位であったとしても、ＩＤタグの取り付け先となったゴルフクラブをユーザーが保持しているときにはタグリーダー４１による識別情報の読み取りが可能となり、ユーザーが保持していないときにはタグリーダー４１による読み取りが不可能となるように、タグリーダー４１の通信距離が設定されることが望ましい。
【００８２】
また、本実施形態のユーザーも、プレーに先立ち、プレーで使用する予定の複数のゴルフクラブ３０１、３０２、…、３０Ｎを情報記録装置２００へ登録する。この登録の際、ユーザーが情報記録装置２００へ入力する登録情報２４４には、例えば、複数のゴルフクラブ３０１、３０２、…、３０Ｎの各々のクラブ仕様情報（番手情報含む）と、ゴルフクラブ３０１、３０２、…、３０Ｎの各々に取り付けられたＩＤタグ４０１、４０２、…、４０Ｎの識別情報と、ユーザーにおける情報記録装置２００の装着位置情報とが含まれる。
【００８３】
［システム動作］
図５は、情報記録装置２００の動作を説明するフローチャートである。情報記録装置２００の処理部２１は、情報記録プログラム２４０、ショット判定プログラム１４０、スイング解析プログラム２４２などに従って動作する。
【００８４】
ここでは、複数のゴルフクラブ３０１、３０２、…、３０Ｎの登録が完了しているとの前提で、各ステップを順に説明する。
【００８５】
ステップＳ２１１：処理部２１は、記憶部２４に対する計測データ（加速度データ、角速度データ）の蓄積を開始する。なお、記憶部２４は、計測データの記憶領域として、少なくともスイング１回分の計測データを格納できるだけの領域を有しており、この記憶領域の空き容量がゼロになった場合には、古い計測データに対して新しい計測データを上書きすることで、少なくともスイング１回分の最新の計測データを常に保持できるものとする。また、処理部２１は、ＧＰＳセンサー２７が出力する測位データのサンプリングを開始する。
【００８６】
ステップＳ２２１：処理部２１は、複数のＩＤタグ４０１、４０２、…、４０Ｎの何れか１つからタグリーダー４１が識別情報を読み取ったか否かを判定し、読み取ったと判定した場合（ステップＳ２２１のＹ）には、ステップＳ１２０へ移行し、読み取っていないと判定した場合（ステップＳ２２１のＮ）には、ステップＳ２６０へ移行する。
【００８７】
ステップＳ１２０：処理部２１は、ショット判定プログラム１４０に従い、例えば、現時点でサンプリングされた計測データに含まれる角速度データの大きさと、直前にサンプリングされた計測データに含まれる角速度データの大きさとの差分を算出し、差分が所定の閾値を超過したか否かを判定することにより、ショット（打球、インパクト）の有無を判定する。
【００８８】
ステップＳ１３０：処理部２１は、ショットが有ったと判定した場合には（ステップＳ１３０のＹ）、ステップＳ２３０へ移行し、ショットが無かったと判定した場合には（ステップＳ１３０のＮ）、ステップＳ２６０へ移行する。
【００８９】
ステップＳ２３０：処理部２１は、ステップＳ２２１でタグリーダー４１が読み取った識別情報に応じて登録情報２４４を参照することで、当該識別情報に予め対応づけられたゴルフクラブの番手を特定し、この番手をショットに使用された番手とみなす。また、処理部２１は、ステップＳ１３０でショットが有りと判定したタイミングでサンプリングされた測位データに基づきユーザーの位置を特定し、この位置をショットの位置（ショットの地点）とみなす。
【００９０】
つまり、本ステップＳ２１１、Ｓ１２０、Ｓ１３０、Ｓ２３０における処理部２１（第１取得部、第２取得部、第３取得部の一例）は、ユーザーによるショット（打球）の有無を示す計測データ（打球情報の一例）、ユーザーが保持するゴルフクラブ（運動具の一例）の番手情報（識別情報の一例）、ユーザーの位置を示す測位データ（位置情報の一例）を取得し、これらの情報を互いに関連付ける。
【００９１】
ステップＳ２４０：処理部２１は、スイング解析プログラム２４２に従い、現時点で記憶部２４に格納されている計測データ１４１に対して例えば公知のスイング解析処理を施すことにより、スイングフォームデータを取得する。スイングフォームデータには、例えば、ゴルフクラブのヘッドの姿勢変化データ、ヘッドの位置変化データ、ゴルフクラブのシャフト回転角変化データ、スイングスピードデータなどが含まれる。なお、計測データからヘッドの姿勢変化データ、ヘッドの位置変化データを正確に計算するためには、情報記録装置２００からゴルフクラブのヘッドまでの距離の値が使用されることが望ましい。この距離の値は、例えば、識別情報に対応するクラブ仕様情報及びセンサー装着位置情報に基づき求めることができる（これらの情報は予め登録情報２４４に記録されている）。
【００９２】
ステップＳ２５０：処理部２１は、プレーデータ２４３に対してショットの位置を示す情報、ショットに使用したゴルフクラブの番手を示す情報、ショットに関するスイングフォームデータ、現時点までのショットカウント数などを書き込む。
【００９３】
つまり、本ステップＳ２５０における処理部２１は、ショット（打球）の有無を示す計測データ（打球情報の一例）、ゴルフクラブ（運動具の一例）の番手情報（識別情報の一例）、ユーザーの位置を示す測位データ（位置情報の一例）を、互いに関連付けて記録する。
【００９４】
ステップＳ２６０：処理部２１は、ユーザーから終了コマンドを受信したか否かを判定し、受信したと判定した場合（ステップＳ２６０のＹ）には、フローを終了し、受信したと判定しなかった場合（ステップＳ２６０のＮ）には、ステップＳ２２１へ戻る。
【００９５】
なお、本実施形態のシステムのユーザーは、プレーの合間、プレーの終了後などの適当なタイミングで、プレーデータ２４３を情報記録装置２００から情報表示装置３０（図１参照）へ読み込ませることにより、ショット地点と使用番手とをコースレイアウト上で同時に確認することができる。
【００９６】
また、図５のフローチャートにおいては、可能な範囲で各ステップの順番を変更してもよい。
【００９７】
［第２実施形態の補足］
なお、本実施形態の情報記録システム１００では、タグリーダー４１と、他のセンサー（ＧＰＳセンサー２７、加速度センサー１２、角速度センサー１３）とを一体の装置（情報記録装置２００）で構成したが、別体の装置で構成し、それら装置の装着先を別々としてもよい。例えば、タグリーダー４１の装着先をユーザーの腰（ベルトなども含む）などとし、他のセンサーの装着先をユーザーの腕などとしてもよい。
【００９８】
例えば、本実施形態における情報記録システムでは、タグリーダー４１の設け先をユーザーの腕としたが、キャディバッグ（キャディバッグの開口部）としてもよい。その場合、タグリーダー４１がゴルフクラブから識別情報を読み取るタイミングは、例えば、キャディバッグからゴルフクラブが抜かれたタイミングとなる。
【００９９】
また、本実施形態における情報記録システムでは、タグリーダー４１の設け先をユーザーの腕としたが、ユーザーのベルト部分としてもよい。その場合、タグリーダーがゴルフクラブから識別情報を読み取るタイミングは、例えば、ユーザーがアドレス姿勢をとったタイミングとなる。
【０１００】
また、本実施形態における情報記録システムは、ゴルフクラブを識別するために、ゴルフクラブに取り付けられたタグと、タグから識別情報を読み取るリーダーとからなるタグシステムを利用したが、ゴルフクラブに取り付けられたマークと、マークを撮影するカメラ（読み取り部の一例）とからなるカメラシステムを利用してもよい。
【０１０１】
カメラシステムのマークとしては、例えば、ゴルフクラブのグリップエンドなど、ユーザーが目視できる箇所に取り付けられたマーク（シールなど）が使用される。この場合、互いに異なるゴルフクラブには互いに異なるマークが貼付される。これらマークの間では、例えば、図６（Ａ）、図６（Ｂ）、図６（Ｃ）に示すとおり、色、明るさ、模様などが互いに異なる。
【０１０２】
また、カメラシステムのカメラとしては、例えば、図６（Ｄ）に示すとおり、アイグラス５００に取り付けられたカメラ５０１などが使用される。アイグラス５００は、サングラスでもよいし、ヘッドマウントディスプレイでもよい。この場合、カメラ５０１の視野は、アイグラス５００を装着したユーザーの視野とほぼ一致する。よって、カメラシステムを使用した場合は、カメラ４０１が撮影する画像に対してパターン認識処理を施すことにより、ユーザーの保持しているゴルフクラブの番手を監視することができる。
【０１０３】
従って、ユーザーは、何の意識をせずとも情報記録システムがゴルフクラブを識別できる。
【０１０４】
なお、カメラの取り付け先は、アイグラスではなく、帽子、サンバイザー、ベルトなどであってもよい。
【０１０５】
また、情報記録システムがカメラシステムを利用する場合には、慣性センサーを用いたショット判定（加速度センサー又は角速度センサーの出力を用いたショット判定）の代わりに、画像を用いたショット判定を行うことも可能である。画像を用いれば、プレーヤーがショットの姿勢（アドレスの姿勢）にあるか否かを、パターン認識処理により判定することが可能である。
【０１０６】
２．実施形態の効果
以上、実施形態に係る情報記録装置は、ユーザーによるショットの有無を示す情報を取得すると共に、ユーザーが保持するゴルフクラブの番手情報を取得し、個々のショットに対して番手を関連づけたものを、プレーデータとして記録する。
【０１０７】
従って、例えばユーザーがショット前にゴルフクラブの選定に悩み、ゴルフクラブを何回か持ち替えた場合であっても、実際にショットに使用されたゴルフクラブの番手を、プレーの合間やプレーの終了後に確認することができる。
【０１０８】
また、実施形態に係る情報記録装置は、プレーデータにおける個々のショットに対してユーザーの位置を関連付ける。
【０１０９】
つまり、実施形態のプレーデータには、個々のショット地点が履歴として書き込まれ、かつ、個々のショット地点に対して使用番手が紐づけられる。従って、ユーザーは、番手ごとの飛距離を、例えばコースレイアウト上で振り返り、今後のスコアアップの参考にすることもできる。
【０１１０】
３．変形例
本発明は本実施形態に限定されず、本発明の要旨の範囲内で種々の変形実施が可能である。
【０１１１】
また、上記の実施形態の情報記録システムは、プレーデータとして、各ショットの位置情報、各ショットに使用された番手情報、各ショットに関するスイングフォームデータ、ショットカウント数などを記録したが、更に、気象条件（気温、湿度、風向きなど）、地理的条件（標高）などを記録してもよい。なお、気温を計測するためには、例えば、情報記録装置が温度センサーを搭載すればよく、湿度を計測するためには、例えば、情報記録装置が湿度センサーを搭載すればよく、標高を計測するためには、例えば、情報記録装置が気圧センサーを搭載すればよい。
【０１１２】
また、上記の実施形態における情報記録装置は、リスト型に限定されることはなく、ヘッドマウントディスプレイ（ＨＭＤ：Head Mount Display）やスマートフォン等の携帯情報機器であってもよい。
【０１１３】
また、上記の実施形態における運動具は、ゴルフクラブに限定されることはなく、バット、ラケットなどの他の運動具であってもよい。少なくともボールを打球する運動具であれば、上記の実施形態のシステムを適用することが可能である。但し、ゴルフクラブの場合は、一人のユーザーが持ち替えて使用するため、上記の実施形態のシステムが特に有効と考えられる。
【０１１４】
また、上記の実施形態の情報記録システムでは、情報表示装置の機能の一部又は全部は情報記録装置の側に搭載されてもよいし、情報記録装置の機能の一部又は全部は情報表示装置の側に搭載されてもよい。
【０１１５】
また、上記の実施形態の情報記録システムでは、情報記録装置の機能の少なくとも一部は、他の機器、例えば、リスト機器、ヘッドマウントディスプレイ、タブレットＰＣ、ノートＰＣ、デスクトップＰＣ、ネットワークサーバーに搭載されてもよい。
【０１１６】
また、上記の実施形態において、システムが取得したデータの少なくとも一部は、インターネットサーバーにアップロードされてもよい。その場合、必要なタイミングかつ所望の端末でユーザーが計測データを閲覧又はダウンロードすることができる。
【０１１７】
また、上記の実施形態のシステムは、情報のユーザーへの通知を、表示により行ったが、表示の代わりに、又は表示に加えて、通知音又は振動を発してもよい。
【０１１８】
また、上記の実施形態では、全地球衛星測位システムとしてＧＰＳ（Global Positioning System）を利用したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０１１９】
また、上述した各実施形態及び各変形例は一例であって、これらに限定されるわけではない。例えば、各実施形態及び各変形例を適宜組み合わせることも可能である。
【０１２０】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１２１】
１０  センサーユニット、２０  情報記録装置、１１  処理部、１２  加速度センサー、１３  角速度センサー、１８  通信部、１４  記憶部、２１  処理部、２２  通信部、  ２３  操作部、２５  表示部、２５  音出力部、２４  記憶部、１  情報記録システム
【図１】
2016127880.tif 000003
【図２】
2016127880.tif 000004
【図３】
2016127880.tif 000005
【図４】
2016127880.tif 000006
【図５】
2016127880.tif 000007
【図６】
2016127880.tif 000008